(57)【特許請求の範囲】
【請求項１】
二次電池用セパレータ又は二次電池用電極の表面に形成される、二次電池用セパレータと二次電池用電極とを接着させるための接着層であって、
デジタルマイクロスコープ（ＫＥＹＥＮＣＥ株式会社製、ＶＨＸ−５００Ｆ）を用いて、２００倍の倍率で計測される、二次電池用セパレータ又は二次電池用電極の表面における接着層の被覆率は５〜１００％であり、
前記接着層は、芳香族ビニルモノマーに由来する構造単位を有し、かつ、ガラス転移温度が−１５〜７℃である接着樹脂を含み、
前記接着樹脂は、オレフィン、ジエン、不飽和カルボン酸エステル、不飽和カルボン酸、およびアクリロニトリルからなる群から選ばれる少なくとも一つのモノマーと、芳香族ビニルモノマーとの共重合体である接着層。
【請求項２】
芳香族ビニルモノマーに由来する構造単位が、スチレンに由来する構造単位である請求項１記載の接着層。
【請求項３】
接着樹脂が、スチレン−１，３−ブタジエン共重合体である請求項１又は２記載の接着層。
【請求項４】
請求項１〜３のいずれかに記載の接着層と、二次電池用セパレータ又は二次電池用電極とを含む積層体。
【請求項５】
二次電池用セパレータと、請求項１〜３のいずれかに記載の接着層と、二次電池用電極とが、この順に積層されてなる二次電池用部材。
【発明の詳細な説明】
【技術分野】
【０００１】
本発明は、二次電池用接着樹脂組成物等に関する。
【背景技術】
【０００２】
二次電池用部材として、電極とセパレータとを積層させた部材が知られている（非特許文献１）。
【先行技術文献】
【非特許文献】
【０００３】
【非特許文献１】芳尾真幸／小沢昭弥編「リチウムイオン二次電池第二版−材料と応用−」、日刊工業新聞社、２００１年８月、ｐ．１７３−１７７
【発明の概要】
【発明が解決しようとする課題】
【０００４】
従来の上記二次電池用部材は、電極とセパレータとの間にずれが生じやすく、電池組立時の作業性の点で、必ずしも十分に満足できるものではない場合があった。
【課題を解決するための手段】
【０００５】
本発明は、下記［１］〜［１４］記載の発明を含む。
［１］二次電池用セパレータと二次電池用電極とを接着させるための二次電池用接着樹脂組成物であって、芳香族ビニルモノマーに由来する構造単位を有し、かつ、ガラス転移温度が２５℃以下である接着樹脂を含む組成物。
［２］芳香族ビニルモノマーに由来する構造単位が、スチレンに由来する構造単位である［１］記載の組成物。
［３］接着樹脂が、スチレン−１，３−ブタジエン共重合体である［１］又は［２］記載の組成物。
［４］芳香族ビニルモノマーに由来する構造単位を有し、かつ、ガラス転移温度が２５℃以下である接着樹脂と、有機溶剤と、水とを含有する［１］〜［３］のいずれか記載の組成物。
［５］接着樹脂の含有量が、組成物１００質量部に対して０．００１〜３０質量部である［１］〜［４］のいずれか記載の組成物。
［６］有機溶剤の含有量が、水１００質量部に対して０．０１〜１００質量部である［４］又は［５］記載の組成物。
［７］有機溶剤が、アルコールである［４］〜［６］のいずれか記載の組成物。
［８］アルコールが、メタノール、エタノール、イソプロピルアルコール、１−ブタノール、２−ブタノール、ｓｅｃ−ブチルアルコール、ｔｅｒｔ−ブチルアルコール、エチレングリコール、プロピレングリコール及びブタンジオールからなる群から選ばれる少なくとも１種のアルコールである［７］記載の組成物。
［９］［１］〜［８］のいずれか記載の組成物を、二次電池用セパレータ又は二次電池用電極に塗布する工程を含む積層体の製造方法。
［１０］ドクターブレード法、グラビア法又はスプレー法により塗布する［９］記載の積層体の製造方法。
［１１］下記（ａ）、（ｂ）及び（ｃ）を含む二次電池用部材の製造方法。
（ａ）［１］〜［８］のいずれか記載の組成物を二次電池用セパレータに塗布して接着層と二次電池用セパレータとからなる積層体を得る工程
（ｂ）上記（ａ）で得られた積層体を乾燥させる工程
（ｃ）上記（ｂ）で乾燥された積層体の接着層と二次電池用電極とを圧着させる工程
［１２］下記（ａ’）、（ｂ’）及び（ｃ’）を含む二次電池用部材の製造方法。
（ａ’）［１］〜［８］のいずれか記載の組成物を二次電池用電極に塗布して接着層と二
次電池用電極とからなる積層体を得る工程
（ｂ’）上記（ａ’）で得られた積層体を乾燥させる工程
（ｃ’）上記（ｂ’）で乾燥された積層体の接着層と二次電池用セパレータとを圧着させ
る工程
［１３］［１］〜［８］のいずれか記載の組成物を含む接着層。
［１４］［１］〜［８］のいずれか記載の組成物を含む接着層と、二次電池用セパレー
タ又は二次電池用電極とを含む積層体。
［１５］二次電池用セパレータと、［１］〜［８］のいずれか記載の組成物を含む接着
層と、二次電池用電極とが、この順に積層されてなる二次電池用部材。
【０００６】
本発明は、下記［１６］〜［２６］記載の発明を含む。
［１６］芳香族ビニルモノマーに由来する構造単位を有し、かつ、ガラス転移温度が２
５℃以下の接着樹脂を含むことを特徴とする二次電池用セパレータと二次電池用電極との
接着層。
［１７］芳香族ビニルモノマーに由来する構造単位が、スチレンに由来する構造単位で
ある［１６］記載の接着層。
［１８］接着樹脂が、スチレン−１，３−ブタジエン共重合体である［１６］記載の接
着層。
［１９］［１６］〜［１８］のいずれか記載の接着層と、二次電池用セパレータ又は二
次電池用電極とを含む積層体。
［２０］少なくとも一つの最表面に接着層を有する［１９］記載の積層体。
［２１］塗布が、二次電池用セパレータ又は二次電池用電極の塗布面全体の面積に対す
る接着樹脂の塗布面積の割合が５〜１００％となるように実施される［９］記載の製造方
法。
［２２］塗布が、ドクターブレード法、グラビア法、キスコート法、ポーラスコート法
、スプレー法、スパイラルスプレー法又はサミットスプレー法により実施される［９］又
は［２１］記載の製造方法。
［２３］さらに、得られる積層体の接着層を乾燥させる工程を含む［９］、［１０］、
［２１］又は［２２］記載の製造方法。
［２４］下記（ａ）、（ｂ）及び（ｃ）を含む二次電池用電極と二次電池用セパレータ
との接着方法。
（ａ）［１］〜［８］のいずれか記載の組成物を二次電池用セパレータに塗布して接着層
と該二次電池用セパレータとからなる積層体を得る工程
（ｂ）得られた積層体の接着層を乾燥させる工程
（ｃ）乾燥された積層体の接着層と二次電池用電極とを圧着させる工程
［２５］下記（ａ’）、（ｂ’）及び（ｃ’）を含む二次電池用電極と二次電池用セパ
レータとの接着方法。
（ａ’）［１］〜［８］のいずれか記載の組成物を二次電池用電極に塗布して接着層と該
二次電池用電極とからなる積層体を得る工程
（ｂ’）該積層体の接着層を乾燥させる工程
（ｃ’）乾燥された該積層体の接着層と二次電池用セパレータとを圧着させる工程
［２６］二次電池用電極と二次電池用セパレータとを接着させるための［１］〜［８］
のいずれか記載の組成物の使用。
【発明の効果】
【０００７】
本発明の二次電池用接着樹脂組成物によって二次電池用セパレータと二次電池用電極と
を接着させることにより、得られる二次電池の内部抵抗を大幅に上昇させることなく、二
次電池組立時の作業性を向上させることができる。
【図面の簡単な説明】
【０００８】
【図１】本発明の積層体の例（実施例１、断面図）
【図２】本発明の接着層を介して負極及びセパレータのみを接着させた状態の二次電池用部材の例（実施例３、断面図）
【図３】本発明の接着層を介して負極−セパレータ−正極−セパレータを複数回繰り返し接着させた状態の二次電池用部材の例（断面図）
【発明を実施するための形態】
【０００９】
本発明の二次電池用接着樹脂組成物（本明細書中「組成物」と記載することがある）は、二次電池用セパレータと二次電池用電極とを接着させるために用いられるものであり、下記接着樹脂を含む。
本発明の二次電池用接着樹脂組成物は、さらに、有機溶剤及び水を含むことが好ましい。
本明細書において、「二次電池用セパレータ」を「セパレータ」と、「二次電池用電極」を「電極」と記載することがある。
【００１０】
＜接着樹脂＞
本発明の組成物に含まれる接着樹脂は、ガラス転移温度（Ｔｇ）が２５℃以下であり、好ましくは２０℃以下、より好ましくは−４０〜２０℃である。
【００１１】
接着樹脂は、芳香族ビニルモノマーに由来する構造単位を有する。さらに、芳香族ビニルモノマーと共重合可能なその他のモノマーに由来する構造単位を有していてもよい。
【００１２】
本発明において芳香族ビニルモノマーとは、分子内に芳香族環とビニル基とを含むモノマーをいい、例えばスチレン、アクリル酸ベンジル、メタクリル酸ベンジル等が挙げられる。中でもスチレンが好ましい。
【００１３】
芳香族ビニルモノマーと共重合可能なその他のモノマーとしては、例えば、エチレン、プロピレン等のオレフィン；１，３−ブタジエン、イソプレン等のジエン；アクリル酸メチル、メタクリル酸メチル、アクリル酸ｎ−ブチル、アクリル酸２−エチルヘキシル、アクリル酸ラウリル、メタクリル酸ラウリル等の不飽和カルボン酸エステル；アクリル酸、メタクリル酸、イタコン酸、フマル酸等の不飽和カルボン酸；アクリロニトリル；等が挙げられる。
【００１４】
接着樹脂としては、スチレン−１，３−ブタジエン共重合体、スチレン−イソプレン共重合体、スチレン−１，３−ブタジエン−イソプレン共重合体、スチレン−アクリロニトリル−１，３−ブタジエン−メタクリル酸メチル共重合体、スチレン−アクリロニトリル−１，３−ブタジエン−イタコン酸共重合体、スチレン−アクリロニトリル−１，３−ブタジエン−メタクリル酸メチル−フマル酸共重合体、スチレン−１，３−ブタジエン−イタコン酸−メタクリル酸メチル−アクリロニトリル共重合体、スチレン−１，３−ブタジエン−イタコン酸−メタクリル酸メチル−アクリロニトリル共重合体、スチレン−アクリロニトリル−１，３−ブタジエン−メタクリル酸メチル−フマル酸共重合体、ポリスチレン、スチレン−エチレン−ブタジエン共重合体、スチレン−ブタジエン−プロピレン共重合体、スチレン−イソプレン共重合体、スチレン−アクリル酸ｎ−ブチル−イタコン酸−メタクリル酸メチル−アクリロニトリル共重合体、スチレン−アクリル酸ｎ−ブチル−イタコン酸−メタクリル酸メチル−アクリロニトリル共重合体、スチレン−ブタジエンブロック共重合体、スチレン−ブタジエン−スチレン・ブロック共重合体、スチレン−エチレン−ブチレン−スチレン・ブロック共重合体、スチレン−イソプレン・ブロック共重合体、スチレン−エチレン−プロピレン−スチレン・ブロック共重合体等が挙げられる。これ
らのポリマーは単独で用いてもよいし、２種類以上を混合して用いてもよい。中でもスチ
レン−１，３−ブタジエン共重合体を含むものが好ましい。
【００１５】
＜有機溶剤＞
有機溶剤としては、メタノール、エタノール、イソプロピルアルコール、１−ブタノー
ル、２−ブタノール、ｓｅｃ−ブチルアルコール、ｔｅｒｔ−ブチルアルコール、エチレ
ングリコール、プロピレングリコール、ブタンジオール等のアルコール；プロピルエーテ
ル、イソプロピルエーテル、ブチルエーテル、イソブチルエーテル、ｎ−アミルエーテル
、イソアミルエーテル、メチルブチルエーテル、メチルイソブチルエーテル、メチルｎ−
アミルエーテル、メチルイソアミルエーテル、エチルプロピルエーテル、エチルイソプロ
ピルエーテル、エチルブチルエーテル、エチルイソブチルエーテル、エチルｎ−アミルエ
ーテル、エチルイソアミルエーテル等の飽和脂肪族エーテル化合物；アリルエーテル、エ
チルアリルエーテル等の不飽和脂肪族エーテル化合物；アニソール、フェネトール、フェ
ニルエーテル、ベンジルエーテル等の芳香族エーテル化合物；テトラヒドロフラン、テト
ラヒドロピラン、ジオキサン等の環状エーテル化合物；エチレングリコールモノメチルエ
ーテル、エチレングリコールモノエチルエーテル、エチレングリコールモノブチルエーテ
ル、ジエチレングリコールモノメチルエーテル、ジエチレングリコールモノエチルエーテ
ル、ジエチレングリコールモノブチルエーテル等のエチレングリコールエーテル化合物；
ギ酸、酢酸、無水酢酸、アクリル酸、クエン酸、プロピオン酸、酪酸等のモノカルボン酸
化合物；ギ酸ブチル、ギ酸アミル、酢酸プロピル、酢酸イソプロピル、酢酸ブチル、酢酸
第二ブチル、酢酸アミル、酢酸イソアミル、酢酸２−エチルヘキシル、酢酸シクロヘキシ
ル、酢酸ブチルシクロヘキシル、プロピオン酸エチル、プロピオン酸ブチル、プロピオン
酸アミル、酪酸ブチル、炭酸ジエチル、シュウ酸ジエチル、乳酸メチル、乳酸エチル、乳
酸ブチル、リン酸トリエチル等の有機酸エステル化合物；アセトン、エチルケトン、プロ
ピルケトン、ブチルケトン、メチルイソプロピルケトン、メチルイソブチルケトン、ジイ
ソブチルケトン、アセチルアセトン、ジアセトンアルコール、シクロヘキサノン、シクロ
ペンタノン、メチルシクロヘキサノン、シクロヘプタノン等のケトン化合物；コハク酸、
グルタル酸、アジピン酸、ウンデカン二酸、ピルビン酸、シトラコン酸等のジカルボン酸
化合物；１，４−ジオキサン、フルフラール、Ｎ−メチルピロリドン等が挙げられる。中
でも、アルコールが好ましく、炭素数１〜４のアルコールがより好ましく、メタノール、
エタノール、イソプロピルアルコール、１−ブタノール、２−ブタノール、ｓｅｃ−ブチ
ルアルコール、ｔｅｒｔ−ブチルアルコール、エチレングリコール、プロピレングリコー
ル及びブタンジオールからなる群から選ばれる少なくとも１種のアルコールがさらに好ま
しく、イソプロピルアルコール及び／又は１−ブタノールがさらにより好ましい。
【００１６】
＜水＞
水は、純水でもよいし、水道水程度に不純物を含んでいてもよい。
【００１７】
＜その他の添加剤＞
本発明の二次電池用接着組成物は、塗布性や電池性能を大幅に低下させない範囲におい
て、上記接着樹脂、有機溶剤及び水以外の添加剤を含んでいてもよい。かかる添加剤とし
ては、水に溶解又は膨潤する粘度調整剤；バインダー補助剤；アルキルベンゼンスルホン
酸ソーダ、アルキルスルホサクシネート等のアニオン性界面活性剤；スルホ基を有してい
てもよいポリビニルアルコール、ポリオキシエチレンアルキルフエニルエーテル、ポリオ
キシエチレンアルキルエーテル、ポリオキシエチレン脂肪酸エステル、ポリオキシエチレ
ンソルビタン脂肪酸エステル、ポリオキシエチレン−ポリオキシプロピレンブロックコポ
リマー等のノニオン系界面活性剤；ヒドロキシエチルセルロースの等の水溶性高分子；そ
の他の有機化合物の粉末；アルミナ、シリカ、ゼオライト等のセラミック；等が挙げられ
る。
【００１８】
接着樹脂の含有量は、組成物１００質量部に対して０．００１〜３０質量部であることが好ましく、０．０１〜２０質量部であることがより好ましい。
【００１９】
有機溶剤の含有量は、水１００質量部に対して０．０１〜１００質量部であることが好ましく、０．０１〜８０質量部であることがより好ましい。
【００２０】
その他の添加剤の含有量は、組成物１００質量部に対して、通常０〜１０質量部の範囲であり、実質的に含まないことが好ましい。
【００２１】
本発明の組成物は、通常、接着樹脂の一部又は全部が有機溶剤及び水中に、微粒子状に分散しており、その微粒子の粒径は、好ましくは０．００５〜１００μｍ、より好ましくは０．０１〜５０μｍ、さらに好ましくは０．０５〜５０μｍである。かかる粒径は、本発明の組成物から有機溶剤及び水を除去した後、電子顕微鏡で１００個の粒子の長径と短径とを測定し、その平均値をとることにより求められる。
【００２２】
本発明の組成物は、上記接着樹脂と有機溶剤と水と、必要によりその他の成分とを任意の順番で混合・攪拌することにより得られる。ここで、溶融状態の接着樹脂を水に分散させ、そこに有機溶剤を混合してもよいし、接着樹脂と有機溶剤との混合溶液を攪拌しながら、そこに水を加えていってもよい。また、乳化重合により得られた接着樹脂のエマルションに有機溶剤を混合してもよい。
【００２３】
乳化重合は、通常、芳香族ビニルモノマーと、該芳香族ビニルモノマーと共重合可能なその他のモノマーとを、水の存在下で重合させることにより実施される。その際、乳化剤及び重合開始剤を用いることが好ましい。それらの混合順は、特に限定されない。乳化剤と水との混合物中に、モノマーと、重合開始剤とを混合し、得られた混合物を攪拌しながら昇温し、重合させることが好ましい。
【００２４】
乳化剤としては、例えば、アルキルベンゼンスルホン酸ソーダ、アルキルスルホサクシネート等のアニオン性界面活性剤；スルホ基を有していてもよいポリビニルアルコール、ポリオキシエチレンアルキルフエニルエーテル、ポリオキシエチレンアルキルエーテル、ポリオキシエチレン脂肪酸エステル、ポリオキシエチレンソルビタン脂肪酸エステル、ポリオキシエチレン−ポリオキシプロピレンブロックコポリマー等のノニオン系界面活性剤；ヒドロキシエチルセルロースの等の水溶性高分子；等が挙げられる。
【００２５】
重合開始剤としては、重合開始剤としては、例えば、過硫酸アンモニウム、過硫酸カリウム、過硫酸ナトリウム、２，２′−アゾビス（４−メトキシ−２，４−ジメチルバレロニトリル）、２，２’−アゾビス（２，４−ジメチルバレロニトリル）、２，２’−アゾビス（２−メチルプロピオニトリル)、２，２′−アゾビス(２−メチルブチロニトリル)等が挙げられる。
【００２６】
重合温度は、２０〜９５℃の範囲が好ましい。
【００２７】
＜接着層＞
本発明の接着層は、本発明の組成物を含み、本発明の組成物に含まれる接着樹脂が二次電池用セパレータと二次電池用電極との間に介在して、セパレータと電極を接着させる層である。本発明の接着層は、実質的に上記接着樹脂のみからなることが好ましい。また、本発明の接着層は、本発明の組成物から形成されるものであることが好ましい。
【００２８】
＜積層体＞
本発明の積層体は、本発明の接着層とセパレータ又は電極とを含む。積層体の少なくと
も一つの最表面が接着層であることが好ましい。
【００２９】
本発明の積層体は、任意の方法により所望の形状に成形された上記接着樹脂を接着層と
してセパレータ又は電極に貼付する方法により製造することもできるが、後述の積層体の
製造方法により製造することが好ましい。
【００３０】
＜積層体の製造方法＞
本発明の積層体の製造方法は、本発明の組成物を二次電池用セパレータ又は二次電池用
電極に塗布する工程を含む。
【００３１】
（セパレータ）
セパレータとしては、例えば、ビスコースレーヨン、天然セルロース等の抄紙；セルロ
ース、ポリエステル等の繊維を抄紙して得られる混抄紙；電解紙；クラフト紙；マニラ紙
；ポリエチレン不織布、ポリプロピレン不織布、ポリエステル不織布、ガラス繊維、多孔
質ポリオレフィン（例えば、多孔質ポリエチレン、多孔質ポリプロピレン）、多孔質ポリ
エステル、アラミド繊維、ポリブチレンテレフタレート不織布、パラ系全芳香族ポリアミ
ド、ポリフッ化ビニリデン、ポリテトラフルオロエチレン、フッ化ビニリデンと６フッ化
プロピレンとの共重合体、フッ素ゴム等の含フッ素樹脂等の不織布又は多孔質膜；プロト
ン伝導型ポリマーの膜；等が挙げられる。電解紙、ビスコースレーヨン又は天然セルロー
スの抄紙、セルロース及びポリエステルの繊維を抄紙して得られる混抄紙、クラフト紙、
マニラ紙、ポリエチレン不織布、ポリプロピレン不織布、ポリエステル不織布、マニラ麻
シート、ガラス繊維シート、多孔質ポリオレフィンが好ましい。
【００３２】
セパレータは微細孔を有するものが好ましく、その孔径は、通常０．０１〜１０μｍで
ある。セパレータの厚さは、通常１〜３００μｍ、好ましくは５〜３０μｍである。
【００３３】
セパレータは空隙率の異なる膜を積層したものであってもよい。中でも、多孔質ポリオ
レフィンと多孔質ポリエステル樹脂とからなるセパレータが好適である。
【００３４】
セパレータは、前記膜（好ましくは多孔質ポリオレフィン）と耐熱層とが積層されてな
る積層多孔質フィルムであってもよい。
【００３５】
耐熱層としては、ポリフッ化ビニリデン等のフッ素系ポリマー；ポリアミド６、ポリア
ミド６６、ポリアミド１１、ポリアミド１２、芳香族ポリアミド、ポリイミド等のポリア
ミド系又はポリイミド系ポリマー；フィラー粒子を含む層；等が挙げられる。セパレータ
は、１種の耐熱層を有していてもよいし、２種類以上の耐熱層を有してもよい。
【００３６】
前記フィラー粒子としては、無機物の微粒子又は有機物の微粒子が用いられる。
無機物の微粒子としては、炭酸カルシウム、タルク、クレー、カオリン、シリカ、ハイ
ドロタルサイト、珪藻土、炭酸マグネシウム、炭酸バリウム、硫酸カルシウム、硫酸マグ
ネシウム、硫酸バリウム、水酸化アルミニウム、水酸化マグネシウム、酸化カルシウム、
酸化マグネシウム、酸化チタン、アルミナ、マイカ、ゼオライト、ガラス等が挙げられる
。
有機物の微粒子としては、スチレン、ビニルケトン、アクリロニトリル、メタクリル酸
メチル、メタクリル酸エチル、グリシジルメタクリレート、グリシジルアクリレート、ア
クリル酸メチル等の単独重合体あるいは２種類以上の共重合体；ポリテトラフルオロエチ
レン、４フッ化エチレン−６フッ化プロピレン共重合体、４フッ化エチレン−エチレン共
重合体、ポリビニリデンフルオライド等のフッ素系樹脂；メラミン樹脂；尿素樹脂；ポリ
エチレン；ポリプロピレン；ポリメタクリレート等が挙げられる。２種類以上の微粒子や
異なる粒度分布を持つ同種の微粒子を混合して、フィラー粒子としてもよい。
【００３７】
耐熱層がフィラー粒子を含む層である場合、該層にはフィラー粒子以外に、フィラー粒子同士又はフィラー粒子と前記膜（好ましくは多孔質ポリオレフィン）とを結着させるために、結着剤が含まれてもよい。結着剤としては、電池の電解液に不溶であり、かつ、その電池の使用範囲で電気化学的に安定である樹脂が好ましい。
結着剤としては、ポリフッ化ビニリデン、ポリテトラフルオロエチレン等のフッ素系ポリマー；フッ化ビニリデン−ヘキサフルオロプロピレン−テトラフルオロエチレン共重合体やエチレン−テトラフルオロエチレン共重合体などの含フッ素ゴム；ポリブタジエン、ポリイソプレン、イソプレン−イソブチレン共重合体、天然ゴム、スチレン−１，３−ブタジエン共重合体、スチレン−イソプレン共重合体、１，３−ブタジエン−イソプレン−アクリロニトリル共重合体、スチレン−１，３−ブタジエン−イソプレン共重合体、１，３−ブタジエン−アクリロニトリル共重合体、スチレン−アクリロニトリル−１，３−ブタジエン−メタクリル酸メチル共重合体、スチレン−アクリロニトリル−１，３−ブタジエン−イタコン酸共重合体、スチレン−アクリロニトリル−１，３−ブタジエン−メタクリル酸メチル−フマル酸共重合体、スチレン−１，３−ブタジエン−イタコン酸−メタクリル酸メチル−アクリロニトリル共重合体、アクリロニトリル−１，３−ブタジエン−メタクリル酸−メタクリル酸メチル共重合体、スチレン−１，３−ブタジエン−イタコン酸−メタクリル酸メチル−アクリロニトリル共重合体、スチレン−アクリロニトリル−１，３−ブタジエン−メタクリル酸メチル−フマル酸共重合体等のジエン系ポリマー；ジエン系ポリマーの水素化物；エチレン−プロピレン共重合体、エチレン−プロピレン−ジエン共重合体、ポリスチレン、ポリエチレン、ポリプロピレン、エチレン−ビニルアセテート共重合体、エチレン系アイオノマー、ポリビニルアルコール、酢酸ビニル重合体、エチレン−ビニルアルコール共重合体、塩素化ポリエチレン、ポリアクリロニトリル、ポリアクリル酸、ポリメタクリル酸、クロロスルホン化ポリエチレン等のオレフィン系ポリマー；スチレン−エチレン−ブタジエン共重合体、スチレン−ブタジエン−プロピレン共重合体、スチレン−アクリル酸ｎ−ブチル−イタコン酸−メタクリル酸メチル−アクリロニトリル共重合体、スチレン−アクリル酸ｎ−ブチル−イタコン酸−メタクリル酸メチル−アクリロニトリル共重合体等のスチレン系ポリマー；ポリメチルメタクリレート、ポリメチルアクリレート、ポリエチルアクリレート、ポリブチルアクリレート、アクリレート−アクリロニトリル共重合体、アクリル酸２−エチルヘキシル−アクリル酸メチル−アクリル酸−メトキシポリエチレングリコールモノメタクリレート等のアクリレート系ポリマー；ポリフェニレンエーテル、ポリエチレングリコール、セルロースエーテル、ポリエーテルアミド等のエーテル系ポリマー；ポリスルホン、ポリエーテルスルホン、ポリフェニレンスルフィド等の含硫黄ポリマー；ポリアミド６、ポリアミド６６、ポリアミド１１、ポリアミド１２、芳香族ポリアミド、ポリイミド等のポリアミド系又はポリイミド系ポリマー；ポリエチレンテレフタレート、ポリブチレンテレフタレート等のエステル系ポリマー；カルボキシメチルセルロース、カルボキシエチルセルロース、エチルセルロース、ヒドロキシメチルセルロース、ヒドロキシエチルセルロース、ヒドロキシプロピルセルロース、カルボキシエチルメチルセルロース等のセルロース系ポリマー、これらのアンモニウム塩又はこれらのアルカリ金属塩等の塩；スチレン−ブタジエンブロック共重合体、スチレン−ブタジエン−スチレン・ブロック共重合体、スチレン−エチレン−ブチレン−スチレン・ブロック共重合体、スチレン−イソプレン・ブロック共重合体、スチレン−エチレン−プロピレン−スチレン・ブロック共重合体等のブロック共重合体、エチレン−塩化ビニル共重合体、エチレン−酢酸ビニル共重合体；アルギン酸、これらのアンモニウム塩又はこれらのアルカリ金属塩等の塩；等が挙げられる。
【００３８】
本発明において「セパレータ」とは、上記のセパレータ単独のもののみならず、電極が接着された状態のセパレータ表面を表すこともある。
【００３９】
（電極）
電極としては、二次電池用の正極と負極が挙げられる。電極は、通常、電極活物質及び
必要に応じて導電材が、集電体の少なくとも一方の面（好ましくは両面）に、結着剤を介
して塗布された状態を有する。
【００４０】
本発明において「電極」とは、上記の電極単独のもののみならず、セパレータが接着さ
れた状態の電極表面を表すこともある。
【００４１】
電極活物質としては、リチウムイオンを吸蔵及び放出することができる活物質が好まし
く用いられる。電極活物質には正極活物質と負極活物質とがある。
【００４２】
正極活物質としては、金属複合酸化物、特にリチウム及び鉄、コバルト、ニッケル、マ
ンガンの少なくとも１種類以上の金属を含有する金属複合酸化物等が挙げられ、好ましく
は、ＬｉｘＭＯ２（但し、Ｍは１種以上の遷移金属、好ましくはＣｏ、ＭｎまたはＮｉの
少なくとも一種を表し、１．１０＞ｘ＞０．０５である）、または、ＬｉｘＭ２Ｏ４（式
中、Ｍは１種以上の遷移金属、好ましくはＭｎを表し、１．１０＞ｘ＞０．０５である。
）を含んだ活物質が挙げられ、例えばＬｉＣｏＯ２、ＬｉＮｉＯ２、ＬｉｘＮｉｙＣｏ（
１−ｙ）Ｏ２（式中、１．１０＞ｘ＞０．０５、１＞ｙ＞０である。）、ＬｉＭｎ２Ｏ４
で表される複合酸化物等が挙げられる。
【００４３】
負極活物質としては、各種の珪素酸化物（ＳｉＯ２等）、炭素質物質、金属複合酸化物
等が挙げられ、好ましくは、アモルファスカーボン、グラファイト、天然黒鉛、ＭＣＭＢ
、ピッチ系炭素繊維、ポリアセンなどの炭素質材料；ＡｘＭｙＯＺ（式中、ＡはＬｉ、Ｍ
はＣｏ、Ｎｉ、Ａｌ、Ｓｎ及びＭｎから選択された少なくとも一種、Ｏは酸素原子を表し
、ｘ、ｙ、ｚはそれぞれ１．１０≧ｘ≧０．０５、４．００≧ｙ≧０．８５、５．００≧
ｚ≧１．５の範囲の数である。）で表される複合金属酸化物やその他の金属酸化物などが
挙げられる。
【００４４】
導電材としては、例えば、グラファイト、カーボンブラック、アセチレンブラック、ケ
ッチェンブラック、活性炭等の導電性カーボン；天然黒鉛、熱膨張黒鉛、鱗状黒鉛、膨張
黒鉛等の黒鉛系導電材；気相成長炭素繊維等の炭素繊維；アルミニウム、ニッケル、銅、
銀、金、白金等の金属微粒子あるいは金属繊維；酸化ルテニウムあるいは酸化チタン等の
導電性金属酸化物；ポリアニリン、ポリピロール、ポリチオフェン、ポリアセチレン、ポ
リアセン等の導電性高分子が挙げられる。
少量で効果的に導電性が向上する点で、カーボンブラック、アセチレンブラック及びケ
ッチェンブラックが好ましい。
導電材の含有量は、電極活物質１００質量部に対し、例えば、０〜５０質量部であるこ
とが好ましく、０〜３０質量部であることがより好ましい。
【００４５】
集電体の材料としては、例えば、ニッケル、アルミニウム、チタン、銅、金、銀、白金
、アルミニウム合金又はステンレス等の金属、例えば、炭素素材又は活性炭繊維に、ニッ
ケル、アルミニウム、亜鉛、銅、スズ、鉛又はこれらの合金をプラズマ溶射又はアーク溶
射することによって形成されたもの、例えば、ゴム又はスチレン−エチレン−ブチレン−
スチレン共重合体（ＳＥＢＳ）など樹脂に導電材を分散させた導電性フィルムなどが挙げ
られる。
集電体の形状としては、例えば、箔、平板状、メッシュ状、ネット状、ラス状、パンチ
ング状若しくはエンボス状であるもの又はこれらを組み合わせたもの（例えば、メッシュ
状平板など）等が挙げられる。
集電体表面にエッチング処理により凹凸を形成させてもよい。
【００４６】
結着剤としては、ポリフッ化ビニリデン等のフッ素系ポリマー；ポリブタジエン、ポリイソプレン、イソプレン−イソブチレン共重合体、天然ゴム、スチレン−１，３−ブタジエン共重合体、スチレン−イソプレン共重合体、１，３−ブタジエン−イソプレン−アクリロニトリル共重合体、スチレン−１，３−ブタジエン−イソプレン共重合体、１，３−ブタジエン−アクリロニトリル共重合体、スチレン−アクリロニトリル−１，３−ブタジエン−メタクリル酸メチル共重合体、スチレン−アクリロニトリル−１，３−ブタジエン−イタコン酸共重合体、スチレン−アクリロニトリル−１，３−ブタジエン−メタクリル酸メチル−フマル酸共重合体、スチレン−１，３−ブタジエン−イタコン酸−メタクリル酸メチル−アクリロニトリル共重合体、アクリロニトリル−１，３−ブタジエン−メタクリル酸−メタクリル酸メチル共重合体、スチレン−１，３−ブタジエン−イタコン酸−メタクリル酸メチル−アクリロニトリル共重合体、スチレン−アクリロニトリル−１，３−ブタジエン−メタクリル酸メチル−フマル酸共重合体等のジエン系ポリマー；エチレン−プロピレン共重合体、エチレン−プロピレン−ジエン共重合体、ポリスチレン、ポリエチレン、ポリプロピレン、エチレン−ビニルアセテート共重合体、エチレン系アイオノマー、ポリビニルアルコール、酢酸ビニル重合体、エチレン−ビニルアルコール共重合体、塩素化ポリエチレン、ポリアクリロニトリル、ポリアクリル酸、ポリメタクリル酸、クロロスルホン化ポリエチレン等のオレフィン系ポリマー；スチレン−エチレン−ブタジエン共重合体、スチレン−ブタジエン−プロピレン共重合体、スチレン−イソプレン共重合体、スチレン−アクリル酸ｎ−ブチル−イタコン酸−メタクリル酸メチル−アクリロニトリル共重合体、スチレン−アクリル酸ｎ−ブチル−イタコン酸−メタクリル酸メチル−アクリロニトリル共重合体等のスチレン系ポリマー；ポリメチルメタクリレート、ポリメチルアクリレート、ポリエチルアクリレート、ポリブチルアクリレート、アクリレート−アクリロニトリル共重合体、アクリル酸２−エチルヘキシル−アクリル酸メチル−アクリル酸−メトキシポリエチレングリコールモノメタクリレート等のアクリレート系ポリマー；ポリアミド６、ポリアミド６６、ポリアミド１１、ポリアミド１２、芳香族ポリアミド、ポリイミド等のポリアミド系又はポリイミド系ポリマー；ポリエチレンテレフタレート、ポリブチレンテレフタレート等のエステル系ポリマー；カルボキシメチルセルロース、カルボキシエチルセルロース、エチルセルロース、ヒドロキシメチルセルロース、ヒドロキシエチルセルロース、ヒドロキシプロピルセルロース、カルボキシエチルメチルセルロース等のセルロース系ポリマー（これらのアンモニウム塩やアルカリ金属塩等の塩類を含む）；スチレン−ブタジエンブロック共重合体、スチレン−ブタジエン−スチレン・ブロック共重合体、スチレン−エチレン−ブチレン−スチレン・ブロック共重合体、スチレン−イソプレン・ブロック共重合体、スチレン−エチレン−プロピレン−スチレン・ブロック共重合体等のブロック共重合体、エチレン−塩化ビニル共重合体、エチレン−酢酸ビニル共重合体；その他メチルメタクリレート重合体等が挙げられる。
【００４７】
（塗布方法）
本発明の組成物を塗布する場合、セパレータ又は電極の表面の全面に略均一に塗布（以下「連続塗布」と記載することがある）してもよいし、セパレータ又は電極の表面の一部に塗布（以下「不連続塗布」と記載することがある）してもよい。
本発明の組成物をセパレータ又は電極に塗布する方法としては、例えばスロットダイコート法、ドクターブレード法、ディップ法、リバースロール法、ダイレクトロール法、グラビア法、キスコート法、エクストルージョン法、ビード法、カーテンコート法、ドット法、ポーラスコート法、スロットコート法、スプレー法、スパイラルスプレー法、サミットスプレー法、浸漬、ハケ塗り等が挙げられる。好ましくはドクターブレード法、グラビア法、キスコート法、カーテンコート法、ドット法、ポーラスコート法、スロットコート法、スプレー法、スパイラルスプレー法、サミットスプレー法であり、より好ましくはドクターブレード法、グラビア法、キスコート法、ポーラスコート法、スプレー法、スパイラルスプレー法又はサミットスプレー法であり、さらに好ましくはドクターブレード法、グラビア法又はスプレー法である。これらの方法のうち、連続塗布はいずれの方法でも可能である。不連続塗布を行う方法としては、例えば、グラビア法、カーテンコート法、ド
ット法、ポーラスコート法、スプレー法、スパイラルスプレー法、サミットスプレー法等
が挙げられる。
【００４８】
（乾燥方法）
得られる積層体は、さらに乾燥させることが好ましい。本発明において「乾燥」とは、
上記塗布により得られた積層体の接着層から有機溶剤及び水を除去することを表す。かか
る乾燥方法は特に制限されず、例えば、温風、熱風、低湿風による乾燥；真空乾燥；赤外
線、遠赤外線や電子線等の照射による乾燥が挙げられる。乾燥温度は、３０〜２００℃が
好ましく、４０〜１００℃がより好ましい。
【００４９】
乾燥後の接着層の膜厚は、０．００５〜１００μｍであることが好ましく、０．００５
〜２０μｍであることがより好ましく、０．００５〜１０μｍであることがさらに好まし
い。
また、乾燥後の接着層の被覆率は、５〜１００％であることが好ましい。接着層の被覆
率とは、セパレータ又は電極の塗布面全体の面積に対する、接着層の面積の割合であり、
例えば、マイクロスコープを用いて、接着層を１〜１０００倍の視野で観察することによ
り、求めることができる。
連続塗布で得られる積層体の場合、乾燥後の接着層の被覆率は、３０〜１００％である
ことが好ましく、５０〜１００％であることがより好ましく、７０〜１００％であること
がさらに好ましい。
不連続塗布で得られる積層体の場合、乾燥後の接着層の被覆率は、５〜８０％であるこ
とが好ましく、１０〜７０％であることがより好ましく、１０〜６０％であることがさら
に好ましい。
膜厚及び塗布面積が上記の範囲内であると、得られる二次電池の内部抵抗を大幅には上
昇させない傾向にあるため、好ましい。
【００５０】
＜二次電池用部材及びその製造方法＞
本明細書において「二次電池用部材」とは、本発明の組成物により電極とセパレータと
が接着された部材を表し、電極と接着層とセパレータとからなる。
かかる二次電池用部材は、例えば図２のように負極及びセパレータのみを接着させた部
材であってもよいし、正極及びセパレータのみを接着させた部材（図示せず）であっても
よいし、図３のように負極−セパレータ−正極−セパレータの順でそれぞれ接着し、これ
が複数回繰り返された部材（ただし、２つの最表面は負極及び正極である。）であっても
よい。
【００５１】
本発明の二次電池用部材の製造方法の第１の態様は、下記（ａ）、（ｂ）及び（ｃ）を
含む。
（ａ）本発明の組成物を二次電池用セパレータに塗布して接着層と二次電池用セパレータ
とからなる積層体を得る工程
（ｂ）上記（ａ）で得られた積層体を乾燥させる工程
（ｃ）上記（ｂ）で乾燥された積層体の接着層と二次電池用電極とを圧着させる工程
【００５２】
本発明の二次電池用部材の製造方法の第２の態様は、下記（ａ’）、（ｂ’）及び（ｃ
’）を含む。
（ａ’）本発明の組成物を二次電池用電極に塗布して接着層と二次電池用電極とからなる
積層体を得る工程
（ｂ’）上記（ａ’）で得られた積層体を乾燥させる工程
（ｃ’）上記（ｂ’）で乾燥された積層体の接着層と二次電池用セパレータとを圧着させ
る工程
【００５３】
かかる（ａ）工程、（ｂ）工程、（ａ’）工程及び（ｂ’）工程は、上記積層体の塗布方法及び乾燥方法にそれぞれ記載された方法により実施される。
【００５４】
上記（ｃ）工程及び（ｃ’）工程における積層体とセパレータ又は電極との圧着は、加圧による圧着でも減圧による圧着でもよい。
圧着時の温度は２５℃以上が好ましく、より好ましくは３０℃〜２００℃である。
【００５５】
図３のように負極−セパレータ−正極−セパレータの接着を複数回繰り返して製造された二次電池用部材を得るには、第１の態様のみを繰り返してもよいし、第２の態様のみを繰り返してもよいし、第１の態様と第２の態様とを適宜組み合わせてもよい。
【００５６】
＜電極とセパレータとの接着方法＞
電極とセパレータとの接着方法は、上記（ａ）〜（ｃ）の全ての工程又は上記（ａ’）〜（ｃ’）の全ての工程を含む。
【００５７】
＜電極とセパレータとを接着させるための本発明の組成物の使用＞
電極とセパレータとを接着させるための本発明の組成物の使用は、上記（ａ）〜（ｃ）の全ての工程又は上記（ａ’）〜（ｃ’）の全ての工程を実施することにより行われる。
【００５８】
＜二次電池＞
本発明の製造方法により得られる二次電池用部材と電解液とを有する二次電池のうち、代表的なものとしてリチウムイオン二次電池について以下に説明する。リチウムイオン二次電池は、正極及び負極の両極においてリチウムの酸化・還元が行われ、電気エネルギーを貯蔵、放出する電池である。
【００５９】
（電解液）
リチウムイオン二次電池に用いられる電解液としては、例えばリチウム塩を有機溶媒に溶解させた非水電解液などが挙げられる。リチウム塩としては、ＬｉＣｌＯ４、ＬｉＰＦ６、ＬｉＡｓＦ６、ＬｉＳｂＦ６、ＬｉＢＦ４、ＬｉＣＦ３ＳＯ３、ＬｉＮ（ＳＯ２ＣＦ３）２、ＬｉＣ（ＳＯ２ＣＦ３）３、Ｌｉ２Ｂ１０Ｃｌ１０、低級脂肪族カルボン酸リチウム塩、ＬｉＡｌＣｌ４などのうち１種または２種以上の混合物が挙げられる。
これらの中でも、リチウム塩としては、フッ素を含むリチウム塩が好ましく、ＬｉＰＦ６、ＬｉＡｓＦ６、ＬｉＳｂＦ６、ＬｉＢＦ４、ＬｉＣＦ３ＳＯ３、ＬｉＮ（ＣＦ３ＳＯ２）２、およびＬｉＣ（ＣＦ３ＳＯ２）３からなる群から選ばれる少なくとも１種を含むものがより好ましい。
【００６０】
本発明の電解液で用いる有機溶媒としては、例えばプロピレンカーボネート、エチレンカーボネート、ジメチルカーボネート、ジエチルカーボネート、エチルメチルカーボネート、４−トリフルオロメチル−１，３−ジオキソラン−２−オン、１，２−ジ（メトキシカルボニルオキシ）エタンなどのカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフランなどのエーテル類；ギ酸メチル、酢酸メチル、γ−ブチロラクトンなどのエステル類；アセトニトリル、ブチロニトリルなどのニトリル類；Ｎ，Ｎ−ジメチルホルムアミド、Ｎ，Ｎ−ジメチルアセトアミドなどのアミド類；３−メチル−２−オキサゾリドンなどのカーバメート類；スルホラン、ジメチルスルホキシド、１，３−プロパンサルトンなどの含硫黄化合物、または上記の有機溶媒にフッ素置換基を導入したものを用いることができるが、通常はこれらのうちの２種以上を混合して用いる。
【実施例】
【００６１】
以下に、実施例を挙げて本発明を説明するが、本発明はこれに限定されない。
【００６２】
実施例１（積層体の製造）
スチレン−１，３−ブタジエン共重合体（Ｔｇ；７℃、粒径；０．２μｍ）２質量部、
イソプロピルアルコール２０質量部及び水７８質量部を加えて混合した。得られた混合物
を自転・公転ミキサー「あわとり練太郎」（株式会社シンキー製；登録商標）で室温下、
２０００ｒｐｍ、３０秒攪拌・混合して組成物を得た。
得られた組成物を、厚さ１６μｍ、空隙率５１％の多孔質ポリエチレン上に、ハンドタ
イプ型スプレーを用いたスプレー法により不連続塗布し、得られた塗布物である積層体を
６５℃で５分間乾燥させて、接着樹脂を含む接着層と二次電池用多孔質セパレータとの積
層体を得た。デジタルマイクロスコープ（ＫＥＹＥＮＣＥ株式会社製、ＶＨＸ−５００Ｆ
）を用いて、該積層体の接着層を２００倍の倍率で計測したところ、接着層の被覆率は２
１％であった。ここで、接着層の被覆率とは、セパレータの塗布面全体の面積に対する接
着樹脂が付着している面積の割合をいう。
【００６３】
実施例２（積層体の製造）
スチレン−１，３−ブタジエン共重合体（Ｔｇ；−１５℃、粒径；０．２μｍ）１質量
部、イソプロピルアルコール２０質量部、１−ブタノール１０質量部及び水６９質量部を
加えて混合した。得られた混合物を自転・公転ミキサー「あわとり練太郎」（株式会社シ
ンキー製；登録商標）で室温下、２０００ｒｐｍ、３０秒攪拌・混合して組成物を得た。
得られた組成物を、厚さ１６μｍ、空隙率５１％の多孔質ポリエチレン上に、ドクター
ブレード法により連続塗布し、得られた塗布物である積層体を６５℃で５分間乾燥させて
、接着樹脂を含む接着層と二次電池用多孔質セパレータとの積層体を得た。実施例１と同
様にして積層体の接着層を計測したところ、接着層の被覆率は１００％であった。
【００６４】
実施例３（積層体の製造）
スチレン−１，３−ブタジエン共重合体（Ｔｇ；−１５℃、粒径；０．２μｍ）１質量
部、イソプロピルアルコール２０質量部、１−ブタノール１０質量部及び水６９質量部を
加えて混合した。得られた混合物を自転・公転ミキサー「あわとり練太郎」（株式会社シ
ンキー製；登録商標）で室温下、２０００ｒｐｍ、３０秒攪拌・混合して組成物を得た。
得られた組成物を、厚さ１９μｍ、空隙率５４％の多孔質ポリエチレン上に、グラビア
コーターによって連続塗布し、得られた塗布物である積層体を６５℃で５分間乾燥させて
、接着樹脂を含む接着層と二次電池用多孔質セパレータとの積層体を得た。
【００６５】
試験例１（透気抵抗度）
得られた積層体と、実施例の積層体に使用したものと同じセパレータのみ（比較例１）
とを用い、ＪＩＳ  Ｐ８１１７に準拠して、それぞれの透気抵抗度を測定した。結果を表
１及び２に示す。
実施例１で使用したセパレータ（厚さ１６μｍ、空隙率５１％の多孔質ポリエチレン）
を比較例１とする。
実施例３で使用したセパレータ（厚さ１９μｍ、空隙率５４％の多孔質ポリエチレン）
を比較例２とする。
【００６６】
【表１】
0006495952.tif 000002
【００６７】
【表２】
0006495952.tif 000003
【００６８】
透気抵抗度が大きいほど、得られる二次電池の内部抵抗を大幅に上昇させる可能性があるが、上記の結果から、実施例１及び２の透気抵抗度と比較例１の透気抵抗度とに大きな差異は認められなかった。また、実施例３の透気抵抗度と比較例１の透気抵抗度とに大きな差異は認められなかった。そのため、セパレータのみを用いることに代えて、本発明の積層体を用いて二次電池を製造しても、得られる二次電池の内部抵抗は、大幅には上昇しないと言える。
【００６９】
実施例４（二次電池用部材の製造）
実施例１で得た積層体の接着層と、短冊状に切断した負極〔黒鉛／ポリフッ化ビニリデン（質量比１００／７．５）を銅箔に塗布することにより製造された市販の負極〕とを、６０℃で５分間、真空圧着することにより、セパレータと負極とが接着層を介して接着された状態の二次電池用部材を得た。
【００７０】
実施例５（二次電池用部材の製造）
実施例２で得た積層体の接着層と、短冊状に切断した負極〔黒鉛／スチレン−１，３−ブタジエン共重合体／カルボキシメチルセルロースナトリウム（質量比１００／１．５／１）を銅箔に塗布することにより製造された市販の負極〕とを、６０℃で５分間、真空圧着することにより、セパレータと負極とが接着層を介して接着された状態の二次電池用部材を得た。
【００７１】
実施例６（二次電池用部材の製造）
実施例２で得た積層体の接着層と、短冊状に切断した正極〔ＬｉＮｉ０．３Ｃｏ０．３Ｍｎ０．３Ｏ２／カーボンブラック／ポリフッ化ビニリデン（質量比９３／４／３）をアルミニウム箔に塗布することにより製造された市販の正極〕とを、ロールタイプラミネーター（フジプラ株式会社製、フジラミパッカー  ＬＰＰ６５１２）を用いて、７０℃で４往復熱圧着することにより、セパレータと負極とが接着層を介して接着された二次電池用部材を得た。
【００７２】
実施例７（二次電池用部材の製造）
実施例３で得た積層体の接着層と、短冊状に切断した負極〔黒鉛／スチレン−１，３−ブタジエン共重合体／カルボキシメチルセルロースナトリウム（質量比１００／１．５／１）を銅箔に塗布することにより製造された市販の負極〕とを、ロールタイプラミネーター（フジプラ株式会社製、フジラミパッカー  ＬＰＰ６５１２）を用いて、７０℃で４往復熱圧着することにより、セパレータと負極とが接着層を介して接着された二次電池用部材を得た。
【００７３】
比較例３
厚さ１６μｍ、空隙率５１％の多孔質ポリエチレンと、短冊状に切断した負極〔黒鉛／
ポリフッ化ビニリデン（質量比１００／７．５）を銅箔に塗布することにより製造された
市販の負極〕とを、６０℃で５分間、真空圧着することにより、二次電池用部材を得た。
【００７４】
比較例４
厚さ１６μｍ、空隙率５１％の多孔質ポリエチレンと、短冊状に切断した負極〔黒鉛／
スチレン−１，３−ブタジエン共重合体／カルボキシメチルセルロースナトリウム（質量
比１００／１．５／１）を銅箔に塗布することにより製造された市販の負極〕とを、６０
℃で５分間、真空圧着することにより、二次電池用部材を得た。
【００７５】
比較例５
厚さ１６μｍ、空隙率５１％の多孔質ポリエチレンと、短冊状に切断した正極〔ＬｉＮ
ｉ０．３Ｃｏ０．３Ｍｎ０．３Ｏ２／カーボンブラック／ポリフッ化ビニリデン（質量比
９３／４／３）をアルミニウム箔に塗布することにより製造された市販の正極〕とを、ロ
ールタイプラミネーター（フジプラ株式会社製、フジラミパッカー  ＬＰＰ６５１２）を
用いて、７０℃で４往復熱圧着することにより、セパレータと負極とが接着層を介して接
着された二次電池用部材を得た。
【００７６】
比較例６
厚さ１９μｍ、空隙率５４％の多孔質ポリエチレンと、短冊状に切断した負極〔黒鉛／
スチレン−１，３−ブタジエン共重合体／カルボキシメチルセルロースナトリウム（質量
比１００／１．５／１）を銅箔に塗布することにより製造された市販の負極〕とを、７０
℃で４往復熱圧着することにより、セパレータと負極とが接着層を介して接着された二次
電池用部材を得た。
【００７７】
試験例２（剥離強度）
得られた二次電池用部材の電極側と、ガラスエポキシ樹脂板とを両面接着テープで貼り
付け、剥離強度測定器に固定し、小型卓上試験機（島津製、ＥＺ  Ｔｅｓｔ  ＥＺ−Ｌ）
を用いて厚み方向に剥離させて、二次電池用部材に含まれる電極とセパレータとを剥離さ
せるのに要する力の大きさを測定した。そのときの力の大きさを上記製造したセパレータ
の幅（２ｃｍ）で除した値を剥離強度（Ｎ／ｍ）とした。結果を表３に示す。
【００７８】
【表３】
0006495952.tif 000004
【００７９】
実施例４〜７でそれぞれ得た二次電池用部材は剥離強度が良好なため、二次電池を組立
てる時の作業性は向上すると言える。
【００８０】
実施例１２（積層体及び二次電池用部材の製造）
実施例１で用いた組成物の塗布を、グラビアコーターによって連続塗布する以外は実施例１と同様の操作を行うことにより、二次電池用多孔質セパレータと接着層との積層体を得る。
得られた積層体に、実施例３と同様の操作を行うことにより、セパレータと負極とが接着層を介して接着された状態の二次電池用部材を得る。
【００８１】
実施例８（積層体の製造）
実施例１で得られた組成物を、短冊状に切断した負極〔黒鉛／ポリフッ化ビニリデン（質量比１００／７．５）を銅箔に塗布することにより製造された市販の負極〕上に、ハンドタイプ型スプレーを用いて、スプレー法により不連続塗布する。得られる積層体を乾燥させて、接着層と負極とからなる積層体を得る。
【００８２】
実施例９（部材の製造）
実施例８で得られる積層体の接着層と、厚さ１６μｍ、空隙率５１％の多孔質ポリエチレンとを、真空圧着させて、部材を得る。得られる部材は剥離強度が良好である。
【００８３】
実施例１０（積層体の製造）
実施例２で得られた組成物を、短冊状に切断した負極〔黒鉛／スチレン−１，３−ブタジエン共重合体／カルボキシメチルセルロースナトリウム（質量比１００／１．５／１）を銅箔に塗布することにより製造された市販の負極〕上に、ドクターブレード法により連続塗布する。得られる積層体を乾燥させて、接着層と負極とからなる積層体を得る。
【００８４】
実施例１１（積層体の製造）
実施例１０で得られる積層体の接着層と、厚さ１６μｍ、空隙率５１％の多孔質ポリエチレンとを、真空圧着させて、部材を得る。得られる部材は剥離強度が良好である。
【００８５】
参考例１
実施例４で得た二次電池用部材を真空乾燥し、負極とセパレータとを含む二次電池用部材を得る。ＣＲ２０３２型（ＩＥＣ／ＪＩＳ規格）のコインセルに、該二次電池用部材と、正極としてリチウム箔と、電解液として濃度１．０モル／リットルのＬｉＰＦ６／エチレンカーボネート及びジエチルカーボネートの混合溶媒とを用いて２極式セルを組み立てる。
【００８６】
参考例２
実施例４で得た二次電池用部材に替えて、実施例５で得た二次電池用部材を用いる以外は、参考例１と同様にして２極式セルを組み立てる。
【産業上の利用可能性】
【００８７】
本発明の二次電池用接着樹脂組成物によれば、得られる二次電池の内部抵抗を大幅に上昇させることなく、二次電池組立時の作業性を向上させることができる。
【符号の説明】
【００８８】
ａ：負極
ｂ：接着層
ｃ：セパレータ
ｄ：正極
【図１】
0006495952.tif 000005
【図２】
0006495952.tif 000006
【図３】
0006495952.tif 000007